(57)【要約】【課題】開口部からの落下をより確実に防止することのできる開口部用蓋を提供する。【解決手段】開口部用蓋１０は、両コッター受金具３、３の開口部４３、４３を塞ぐ開口部用蓋本体１０１と、開口部用蓋本体１０１の一方の面に互いに離間して立設されて、開口部４３、４３内に挿入されるとともに開口部４３、４３の周縁部に当接する一対の突起部１０２、１０２と、突起部１０２、１０２間に架け渡されて伸縮調節可能な伸縮部１０３と、伸縮部１０３を突起部１０２、１０２間と略等しいか若しくは突起部１０２、１０２間以上の長さに伸長した状態に保持する保持手段１０４とを備える。【選択図】        図３
2004204640.tif 000002
【特許請求の範囲】
【請求項１】
トンネルの覆工に用いられるセグメントの接合端部に接合金具が設けられ、該接合金具には前記セグメントの内面側に開口する開口部が形成されており、前記接合金具が互いに対向するようにしてセグメント同士を突き合わせて接合した後に、前記開口部を塞ぐために該開口部に設けられる開口部用蓋であって、
前記両接合金具の開口部を塞ぐ開口部用蓋本体と、
該開口部用蓋本体の一方の面に互いに離間して立設されて、前記開口部内に挿入されるとともに前記接合金具の開口部の周縁部に係合する一対の突起部と、
前記突起部間に架け渡されて伸縮自在な伸縮部と、
前記伸縮部を前記突起部間と略等しいか若しくは前記突起部間以上の長さに伸長した状態に保持する保持手段とを備えていることを特徴とする開口部用蓋。
【請求項２】
前記伸縮部は、２つの棒状部材からなり、前記２つの棒状部材の一方の端部同士がそれぞれ前記突起部の互いに対向する対向面に回動自在に係合され、他方の端部同士が一方向に回動自在に接合されるとともに、前記開口部用蓋本体側に屈曲することにより収縮可能とされ、
前記保持手段は、前記開口部用蓋本体に螺合して、前記開口部用蓋本体から前記伸縮部側に突出する突出量を調節可能とするネジを備え、該ネジを前記伸縮部側に向けて突出させることによって、前記伸縮部を押すことにより、該伸縮部を略一直線状となる伸長した状態に保持することを特徴とする請求項１に記載の開口部用蓋。
【発明の詳細な説明】
【０００１】
【発明の属する技術分野】
本発明は、周方向に沿って配置されるセグメント同士を接合する際に用いられて、セグメントの接合端部に設けられた接合金具の開口部を塞ぐための開口部用蓋に関する。
【０００２】
【従来の技術】
トンネルを構築し得る方法としては、掘削孔の内面側にセグメント（主にコンクリート製あるいはスチール製）を組み立てて筒状壁体を構築する、いわゆるシールド工法が一般的である。このシールド工法に用いられるセグメントとしては平面視長方形状で円弧板状のものが主流であり、これらセグメント同士を接合していた。
ここで、セグメント同士を接合する方法として、例えば特許文献１に示すように、セグメントの内部に円弧面に沿って複数本のＰＣ鋼棒が埋設されており、ＰＣ鋼棒の両端にはリップ溝型の溝穴を有するコッター受金具が連結されている。そして、セグメントを互いに突き合わせて、コッター受金具を互いに対向させた状態で、その接合端面においてコッター受金具の溝穴相互に、セグメントの内面からセグメントの厚み方向に向けて断面Ｈ型のコッターを挿入している。このようにコッター受金具の溝穴相互にコッターを挿入することによって、コッター受金具を互いに引き寄せてセグメント同士を接合している。その後、コッターの受け入れ用切欠き内にモルタル等の充填剤を充填して閉鎖している。
【０００３】
また、前記コッター受け入れ用欠きに開口部用蓋を取り付けることによって、コッター受け入れ用欠きを塞ぎ、コッター受金物からコッターが抜けた場合でもコッターが落下するのを防止することが知られている。
このような開口部用蓋１１としては、例えば図８に示すように、受け入れ用欠きを塞ぐ開口部用蓋本体１１１と、開口部用蓋本体１１１の一方の面に互いに離間して立設され、受け入れ用欠き内に挿入されるとともに受け入れ用欠きの周縁部に係合する一対の突起部１１２、１１２とを備えている。そして、両突起部１１２、１１２が弾性変形して受け入れ用欠きの周縁部に嵌合することによって開口部用蓋１１が取り付けられている。
【０００４】
【特許文献１】
特開平８−２１８７８４号公報
【０００５】
【発明が解決しようとする課題】
ところで、上述した開口部用蓋は、前記両突起部が開口部の周縁部に弾性変形することによって嵌合して取り付けられており、コッターがコッター受金物から抜けて、両突起部に開口部の内側に向けて押圧する力が加えられた場合でも、通常、開口部から簡単に抜けて外れることはないとされているが、安全性強化のため近年では開口部用蓋の落下防止をより確実にすることが望まれている。
【０００６】
本発明は、上記事情に鑑みてなされたもので、開口部からの落下をより確実に防止することのできる開口部用蓋を提供することを課題としている。
【０００７】
【課題を解決するための手段】
上記課題を解決するために、請求項１の発明は、例えば、図１、図２、図７(a)〜(e)に示すように、トンネル１の覆工に用いられるセグメント２の接合端部（接合端面２a）に接合金具（コッター受金具３）が設けられ、該接合金具には前記セグメントの内面２a側に開口する開口部４３が形成されており、前記接合金具が互いに対向するようにしてセグメント同士を突き合わせて接合した後に、前記開口部を塞ぐために該開口部に設けられる開口部用蓋１０であって、
前記両接合金具の開口部を塞ぐ開口部用蓋本体１０１と、
該開口部用蓋本体の一方の面に互いに離間して立設されて、前記開口部内に挿入されるとともに前記接合金具の開口部の周縁部に係合する一対の突起部１０２、１０２と、
前記突起部間に架け渡されて伸縮自在な伸縮部１０３と、
前記伸縮部を前記突起部間と略等しいか若しくは前記突起部間以上の長さに伸長した状態に保持する保持手段１０４とを備えていることを特徴とする。
【０００８】
請求項１の発明によれば、開口部用蓋本体が両接合金具の開口部を塞ぎ、一対の突起部が開口部内に挿入されるとともに開口部の周縁部に係合し、伸縮部は、保持手段によって突起部間と略等しいか若しくはそれ以上の長さに伸長した状態に保持されるので、従来と異なり、例えばコッターがコッター受金具から抜けて落下した場合でも伸長した伸縮部がコッターを支持するため、両突起部に開口部の内側に向けて押圧する力が加わらない。よって、開口部から開口部用蓋が抜け出して外れるのを確実に防止することができる。
特に、伸縮部が、保持手段によって突起部間以上の長さに伸長した状態で保持された場合には、伸縮部の突っ張り力によって各突起部を開口部の周縁部に向けて押圧する。よって、開口部に開口部用蓋を強固に取り付けることが可能となる。
さらに、開口部が開口部用蓋本体に塞がれることによって、開口部内が外側から見えない構造とされ、外観に優れた仕上がりとすることができる。
【０００９】
請求項２の発明は、例えば、図７(a)〜(e)に示すように、請求項１に記載の開口部用蓋において、
前記伸縮部は、２つの棒状部材１０３a、１０３bからなり、前記２つの棒状部材の一方の端部同士がそれぞれ前記突起部の互いに対向する対向面に回動自在に係合され、他方の端部同士が一方向に回動自在に接合されるとともに、前記開口部用蓋本体側に屈曲することにより収縮可能とされ、
前記保持手段は、前記開口部用蓋本体に螺合して、前記開口部用蓋本体から前記伸縮部側に突出する突出量を調節可能とするネジ１０４aを備え、該ネジを前記伸縮部側に向けて突出させることによって、前記伸縮部を押すことにより、該伸縮部を略一直線状となる伸長した状態に保持することを特徴とする。
【００１０】
請求項２の発明によれば、伸縮部は、ネジを開口部用本体から伸縮部側に向けて突出させることによって押されて略一直線状となる伸長した状態に保持される。これにより、両突起部に開口部の内側に向けて押圧する力が加わらない構成となり、開口部から開口部用蓋が抜け出して外れるのを確実に防止することができる。
また、伸縮部は、開口部用蓋本体側に屈曲することにより収縮可能とされているので、伸縮部が収縮した状態で開口部内に容易に突起部及び伸縮部を挿入することができ、取付作業が容易となる。
さらに、ネジを開口部用本体に対して螺合させることによって伸縮部を略一直線状となる伸長した状態に保持できるので、その構成が単純で操作が簡単となる。
【００１１】
【発明の実施の形態】
以下、本発明の実施の形態を図面に基づいて説明する。
図１及び図３に示すように、シールド工法によるトンネル１の壁は、多数のセグメント２，…がトンネル１の周方向Ａに並設されてなるセグメントリングが、トンネル１の軸方向Ｂに沿って多数組み立てられて構成されている。
本発明の開口部用蓋１０は、周方向Ａに沿って配置されるセグメント２、２同士をコッター受金具３、３とコッター５とによって接合する際に、コッター受金具３に設けられた溝部４の開口部４３に取り付けられて該開口部４３を塞ぐためのものである。
【００１２】
以下、本発明の開口部用蓋１０等のセグメント２、２同士を接合する際に使用する各部品の構造とともに、開口部用蓋１０の取付構造について説明する。
【００１３】
図２及び図３に示すように、セグメント２は断面矩形状の円弧板であり、セグメント２の周方向Ａの接合端面２aには、セグメント２の軸方向Ｂに沿うとともに接合端面２aに露出する切欠部２１を有し、該切欠部２１は、セグメント２の内面２c側に開口している。そして、この切欠部２１に、前記コッター受金具３が取り付けられている。
また、セグメント２の周方向Ａに沿ってセグメント２、２の切欠部２１、２１が突き合わされて挿通穴２２が形成され、この突き合わされた状態で、両セグメント２、２内にそれぞれ取り付けられたコッター受金具３、３の溝部４、４が互いに対向して配置されている。
【００１４】
ここで、コッター受金具３の構造について詳細に説明する。
コッター受金具３は、図４に示すように、係止片部３１を有する鉤形に形成された一対の係止部３２、３２が互いに対向位置に設けられたもので、これら係止部３２、３２同士によって前記溝部４が形成されている。
【００１５】
前記溝部４は、横断面Ｃ型であって（図４参照）、図３に示すように、セグメント２の軸方向Ｂに沿うとともに接合端面２aに露出している。また、挿入方向Ｃ後方端部に向けてその径が広く形成されており、セグメント２の内面２c側に開口する開口部４３が形成されている。
溝部４は、外側に位置する（接合端面２a側の）溝部４１と、内側に位置する溝部４２とから構成されており、外側の溝部４１の高さは、内側の溝部４２の高さよりも低く形成されている。そして、内側の溝部４２にコッター５（後述するコッター本体５１）の側部に当たるコッター係合部５２（後述する）が係合されるとともに、外側の溝部４１にコッター５（コッター本体５１）の中央部５１aが係合されるようになっている。
【００１６】
内側の溝部４２は、挿入方向Ｃ後方へ向かって次第にその径が広く形成されている。すなわち、図３に示すように、係止部３２は、挿入方向Ｃ後方に向けてセグメント２側に窪む縦断面コ字型となっており、前記開口部４３の周縁部には開口部４３の内側に突出する突出部３３が形成されている。この突出部３３に後述する開口部用蓋１０の突起部１０２（凹部１０５）が係合するようになっている。
外側の溝部４１は、挿入方向Ｃ後方へ向かって狭まるテーパー状となっている。
【００１７】
また、互いに対向する係止部３２、３２同士の接合部分には、周方向Ａに延びる延出部３５が一体に形成されている（図４参照）。さらに、両係止部３２、３２の接合端面２aには、セグメント２、２の接合端面２a、２a同士が突き合わされた状態で、互いに嵌合する凸部３６又は凹部３７がそれぞれ形成されている（図３参照）。
【００１８】
また、コッター受金具３には、セグメント２の周方向Ａに沿って延びるアンカー筋７が設けられている。コッター受金具３とアンカー筋７とは、アンカー筋継手部材７１によって連結されている。
さらに、コッター受金具３の外面には、前記接合端面２aからアンカー筋継手部材７１まで周方向Ａに延びる３つのリブ部３８，…が一体に形成されている。
【００１９】
一方、図２に示すように、セグメント２の軸方向Ｂの接合端面２bには、軸方向Ｂに沿って互いに対向するセグメント２、２（セグメントリング）同士を接合するための雌型継手部材８と雄型継手部材９とがそれぞれ取り付けられている。すなわち、軸方向Ｂの接合端面２bのうちの切羽側には雌型継手部材８が、坑口側には雄型継手部材９が取り付けられている。
そして、軸方向Ｂに沿って互いに対向するセグメント２、２同士は、図５(a)、(b)に示すように、一方のセグメント２の雌型継手部材８に、他方のセグメント２の雄型継手部材９を挿入することによって接合されている。
【００２０】
雄型継手部材９は、雌型継手部材８内に挿入される縦断面三角形状の挿入部９１を備えている。
雌型継手部材８は、雄型継手部材９の挿入部９１が挿入される挿入穴８１aを有する筒状のケース８１と、挿入穴８１aを形成する壁面８１bに沿って移動可能に設けられて、挿入された挿入部９１に引張力を導入することにより該挿入部９１を挟持する挟持部８２、８２と、挿入部９１の先端面に当たる位置に縮んだ状態で配置されて、挿入部９１に挿入方向Ｄに押されることによって該挿入部９１を挿入方向Ｄと逆方向に押し戻す板バネ８３とを備えている。
【００２１】
したがって、図５(a)に示すように、挿入部９１を挿入穴８１a内に挿入すると、図５(b)に示すように、挟持部８２、８２間に挿入されて、挿入部９１の先端面が板バネ８３に当接して板バネ８３を挿入方向Ｄに対して押圧する。すると、板バネ８３が挿入方向Ｄに対して逆方向に挿入部９１を押し戻すようになっており、雄型継手部材９を挿入方向Ｄに対して逆方向に引っ張っても挟持部８３、８３により挿入部９１が挟持されて雌型継手部材８から抜けない構成となっている。よって、軸方向Ｂに沿って互いに対向するセグメント２、２同士は、接合端面２b、２bが突き合わされて強固に接合される。
【００２２】
コッター５は、図３及び図６に示すように、側断面Ｈ型に形成されたもので、コッター本体５１と、コッター本体５１の両側部に設けられて、両コッター受金具３、３の溝部４、４相互に圧入されて係合するコッター係合部５２、５２とを備えている。
コッター本体５１は、その中央部５１aがコッター受金具３を構成する係止部３２の係止片部３１、３１同士の隙間、すなわち外側の溝部４１よりも薄く形成されて挿通可能とされており、コッター係合部５２は、外側の溝部４１よりも厚く形成され、内側の溝部４２よりも薄く形成されて内側の溝部４２に挿通可能とされている。コッター５のコッター係合部５２は、コッター受金具３の係止部３１と同様に、挿入方向Ｃ後方へ向かって近接するテーパー形状とされている。
なお、コッター受金具３及びコッター５は、いずれも角部がＲ加工されて、応力集中が生じないようになっている。
【００２３】
本発明の開口部用蓋１０は、例えば樹脂製等の弾性変形可能な材料から形成されている。図７(a)〜(e)に示すように、開口部用蓋１０は、挿通穴２２に挿入されて前記両溝部４、４の開口部４３、４３を塞ぐ断面略矩形状の板状の開口部用蓋本体１０１と、該開口部用蓋本体１０１の一方の面に略垂直に、かつ、互いに離間して立設されて、開口部４３、４３内に挿入されるとともにコッター受金具３の突出部３３に係合する一対の突起部１０２、１０２と、両突起部１０２、１０２間に架け渡されて伸縮自在な伸縮部１０３と、伸縮部１０３を突起部１０２、１０２間と略等しい長さに伸長した状態に保持する保持手段１０４とを備えている。
【００２４】
開口部用蓋本体１０１には、開口部用蓋１０を開口部４３、４３に取り付けた後に、両溝部４、４内に無収縮モルタル等の充填剤を充填するための充填用穴１０１aと、空気穴１０１bとがそれぞれ形成されている。また、開口部用蓋本体１０１の大きさは、互いに対向する両コッター受金具３、３による開口部４３、４３の径よりも大きくなっている。
【００２５】
突起部１０２は、側断面Ｚ型であり、挿入方向Ｃの先端が角状となっている。そして、突起部１０２と開口部用蓋本体１０１とによって形成される凹部１０５内に、コッター受金具３の突出部３３が係合するようになっている。また、両突起部１０２、１０２の互いに対向する面には、後述する棒状部材１０３a、１０３bの一方の端部が係合する係合穴１０２a、１０２aが形成されている。
【００２６】
伸縮部１０３は、２つの棒状部材１０３a、１０３bからなり、一方の端部同士がそれぞれ突起部１０２、１０２の互いに対向する対向面に回動自在に係合され、他方の端部同士が一方向に回動自在に接合されるとともに、開口部用蓋本体１０１側に屈曲するように収縮可能とされている。
すなわち、図７(d)に示すように、２つの棒状部材１０３a、１０３bの一方の端部に形成された係合突起１０３c、１０３cがそれぞれ突起部１０２、１０２の係合穴１０２a、１０２aに係合されている（なお、図７(d)では、棒状部材１０３bと一方の突起部１０２との係合状態を図示した）。また、棒状部材１０３a、１０３bの前記一方の端部の裏面に、開口部用蓋本体１０１側に屈曲し易いように、開口部用蓋本体１０１側に凸となる円弧状の凸部１０３d、１０３dが形成されている（図７(a)参照）。
一方、図７(e)に示すように、一方の棒状部材１０３aの接合端部に凹部１０３eが形成されており、他方の棒状部材１０３bの接合端部に凸部１０３fが形成され、これら凹部１０３eと凸部１０３fとが嵌合するとともに、ピン１０３gによって接合されている。凹部１０３eを形成する２つの凸部１０３ｈ、１０３ｈ及び凸部１０３fの上面の角部は、それぞれＲ加工されており、これによって伸縮部１０３は、開口部用蓋本体１０１に対して略平行な状態と、開口部用蓋本体１０１側に凸となるように屈曲する状態との間で回動自在に規制されている。
さらに、伸縮部１０３は、突起部１０２、１０２間と略等しい長さとなっている。
このように伸縮部１０３は、２つの棒状部材１０３a、１０３bが、保持手段１０４によって保持されて開口部用蓋本体１０１に対して略平行となる伸長した状態（図７(a)参照）と、接合部が下側に屈曲した収縮状態（図７(b)参照）とで伸縮自在に構成されている。
【００２７】
保持手段１０４は、開口部用蓋本体１０１に螺合して開口部用蓋本体１０１から伸縮部１０３側に突出する突出量を調節可能とするネジ１０４aと、該ネジ１０４aが螺合するために開口部用蓋本体１０１に形成されたネジ穴１０４bとからなる。
【００２８】
したがって、図７(b)に示すように、ネジ１０４aをネジ穴１０４bに螺合させない場合には、２つの棒状部材１０３a、１０３bが接合部において開口部用蓋本体１０１側に屈曲し収縮した状態となる。また、この収縮した状態からネジ穴１０４bにネジ１０４aを螺合させてねじ込んでいくと、図７(a)に示すように、２つの棒状部材１０３a、１０３b同士の接合部にネジ１０４aの先端部が当接するとともに、伸縮部１０３が開口部用蓋本体１０１に対して略平行となる伸長した状態まで押し上げる。
【００２９】
次に、本発明の開口部用蓋１０を使用して、周方向Ａに沿ってセグメント２、２同士を接合するセグメント２、２の接合方法について説明する。
まず、図３に示すように、周方向Ａに沿ってセグメント２、２同士の接合端面２a、２aを突き合わせる。このようにすると、それぞれのセグメント２、２の接合端面２a、２aに形成された切欠部２１、２１同士が互いに突き合わされて挿通穴２２とされるとともに、コッター受金具３、３の溝部４、４が互いに対向した状態となる。この状態で両溝部４、４内をスライドさせてコッター５を圧入する。
すると、コッター５のコッター係合部５２、５２が、コッター受金具３の内側溝部４２内にそれぞれ挿入されて係合するとともに、コッター本体５１の中央部５１aが外側溝部４１内に係合する。これにより、それぞれのコッター受金具３、３が互いに引き寄せられる。
【００３０】
次いで、開口部用蓋１０を両開口部４３、４３を塞ぐようにして取り付ける。すなわち、開口部用蓋１０の伸縮部１０３が収縮した状態（図７(b)参照）で、開口部４３、４３内に両突起部１０２、１０２を挿入するとともに前記凹部１０５、１０５を突出部３３、３３に係合させておき、ネジ穴１０４bにネジ１０４aを螺合させてねじ込む。これによって、図７(a)に示すように、伸縮部１０３が開口部用蓋本体１０１に対して略平行となる伸長した状態となる。
【００３１】
このようにして開口部４３、４３に開口部用蓋１０を取り付けた後に、開口部用蓋本体１０１の充填穴１０１aからモルタル等の充填剤（図示しない）を充填し、これによってセグメント２、２の接合工程を終了する。
【００３２】
また、上述したようにして周方向Ａに沿ってセグメント２、２同士を接合してセグメントリングを構成した後、軸方向Ｂに沿って配置されるセグメント２、２（セグメントリング）同士は、セグメント２の軸方向Ｂの接合端面２b、２b同士を互いに突き合わせた状態で、上述した雌型継手部材８に雄型継手部材９を挿入することによって接合する（図２及び図５(a)、(b)参照）。
【００３３】
以上、本発明の実施の形態の開口部用蓋１０によれば、開口部用蓋本体１０１が開口部４３、４３を塞ぎ、一対の突起部１０２、１０２が開口部４３、４３内に挿入されるとともに開口部４３、４３の突出部３３、３３に係合し、伸縮部１０３は、ネジ１０４aを伸縮部１０３側に向けて突出させ伸縮部１０３を押すことにより、開口部用蓋本体１０１に対して略平行となる伸長した状態に保持されるので、例えばコッター５がコッター受金具３から抜けて落下した場合でも伸長した伸縮部１０３がコッター５を支持するため、両突起部１０２、１０２に開口部４３、４３の内側に向けて押圧する力が加わらない。よって、開口部４３、４３から開口部用蓋１０が抜け出して外れるのを確実に防止することができる。
また、伸縮部１０３は、開口部用蓋本体１０１側に屈曲することにより収縮可能とされているので、伸縮部１０３が収縮した状態で開口部４３、４３内に、容易に突起部１０２、１０２及び伸縮部１０３を挿入することができ、取付作業が容易となる。
さらに、構成が単純で操作も簡単であり、加えて、開口部用蓋本体１０１に開口部４３、４３が塞がれることによって外観に優れた仕上がりとすることができる。
【００３４】
なお、本発明は、上記実施の形態に限定されるものではなく、その要旨を逸脱しない範囲で適宜変更可能である。
例えば、本実施の形態では、伸縮部１０３は、ネジ１０４aによって突起部１０２、１０２間と略等しい長さに伸長した状態で保持されるとしたが、突起部１０２、１０２間以上の長さに伸長した状態で保持されるようにしても良い。これにより、伸縮部１０３の突っ張り力によって各突起部１０２、１０２が開口部４３、４３の突出部３３、３３に向けて押圧されて、開口部４３、４３に開口部用蓋１０を強固に取り付けることが可能となる。
【００３５】
【発明の効果】
本発明によれば、両突起部に開口部の内側に向けて押圧する力が加わらない。よって、開口部から開口部用蓋が抜け出して外れるのを確実に防止することができる。
また、伸縮部は、開口部用蓋本体側に屈曲することにより収縮可能とされているので、伸縮部が収縮した状態で開口部内に、容易に突起部及び伸縮部を挿入することができ、取付作業が容易となる。
さらに、構成が単純で操作も簡単であり、加えて、開口部用蓋本体に開口部が塞がれることによって外観に優れた仕上がりとすることができる。
【図面の簡単な説明】
【図１】本発明の実施の形態を示すためのもので、トンネルの要部を示す斜視図である。
【図２】同、セグメントの横断面図である。
【図３】同、開口部用蓋が挿入されたセグメントの接合構造を示す縦断面図（図１におけるＸ−Ｘ断面図）である。
【図４】同、開口部用蓋が挿入されたセグメントの接合構造を示す横断面図（図１におけるＹ−Ｙ断面図）である。
【図５】同、(a)、(b)は、雌型継手部材と雄型継手部材との接合構造を示す側断面図である。
【図６】同、コッターの側面図である。
【図７】同、(a)、(b)は、開口部用蓋の側断面図、(c)は、開口部用蓋の下面図、(d)は、図７(a)におけるＺ−Ｚ断面図、(e)は、２つの棒状部材の接合部を示す上面図である。
【図８】従来例を示すためのもので、開口部用蓋の側断面図である。
【符号の説明】
１  トンネル
２  セグメント
２a  接合端面（接合端部）
２c  内面
３  コッター受金具（接合金具）
４３  開口部
１０  開口部用蓋
１０１  開口部用蓋本体
１０２  突起部
１０３  伸縮部
１０３a、１０３b  棒状部材
１０４  保持手段
１０４a  ネジ
【図１】
2004204640.tif 000003
【図２】
2004204640.tif 000004
【図３】
2004204640.tif 000005
【図４】
2004204640.tif 000006
【図５】
2004204640.tif 000007
【図６】
2004204640.tif 000008
【図７】
2004204640.tif 000009
【図８】
2004204640.tif 000010